(57)【要約】【課題】ヘッドホンハウジング内にスピーカユニットを簡単に取り付けることができ、且つ、スピーカユニットから良好な再生音を得る。【解決手段】天然木材を用いて空気室１１ｃを有する円筒形状部１１ｄを内部に一体的に形成したヘッドホンハウジング１１と、前記円筒形状部１１ｄの前面に取り付けられ、且つ、再生音を出力するスピーカユニット１５とを少なくとも備えたことを特徴とするヘッドホン１０を提供する。【選択図】図２
2006086960.tif 000002
【特許請求の範囲】
【請求項１】
天然木材を用いて空気室を有する円筒形状部を内部に一体的に形成したヘッドホンハウジングと、
前記円筒形状部の前面に取り付けられ、且つ、再生音を出力するスピーカユニットとを少なくとも備えたことを特徴とするヘッドホン。
【請求項２】
ヘッドホンハウジングと、
前記ヘッドホンハウジング内に取り付けられ、且つ、再生音を出力するスピーカユニットと、
前記スピーカユニットからの前記再生音を放音するために前面に複数の孔を形成した放音板と、
前記放音板より前方で所定の隙間を隔ててこの放音板に対して同心的に設けられ、且つ、前記放音板に形成した前記複数の孔のうちで内周部位のいくつかの孔を臨ませる中心孔を中心部に形成すると共に、この中心孔より外周側に前記放音板の外周部位に形成した残りの孔に対して孔位置がずれるように複数の孔を配置した音響レンズ板とを少なくとも備えたことを特徴とするヘッドホン。
【発明の詳細な説明】
【技術分野】
【０００１】
本発明は、天然木材を用いてヘッドホンハウジング内に空気室を有する音響特性調整用の円筒形状部を形成し、この円筒形状部の前面にスピーカユニットを直接取り付けたヘッドホンに関するものである。
【背景技術】
【０００２】
一般的に、ヘッドホンは、室内用又は携帯用の音響機器や映像機器から出力された左右（ＬＲ）の音声信号を入力コードを介して左右一対のヘッドホンハウジング内にそれぞれ取り付けた左右一対のスピーカユニットに入力して、左右一対のスピーカユニットにより使用者の左右の耳もとで左右（ＬＲ）の音声信号をそれぞれ音声に変換するように構成されている。
【０００３】
この種のヘッドホンのうちで、スピーカユニットを収納したハウジングの少なくともスピーカユニットの背面側を天然木材の単板で形成したヘッドホンがある（例えば、特許文献１参照）。
【特許文献１】特開平０１−１４４８９２号公報（第２−３頁、第１図）。
【０００４】
図９は従来例のヘッドホンを示した断面図である。
【０００５】
図９に示した従来例のヘッドホン１００は、上記した特許文献１（特開平０１−１４４８９２号公報）に開示されており、ここでは特許文献１を参照して簡略に説明する。
【０００６】
図９に示した如く、従来のヘッドホン１００では、ハウジング１０１がヤング率が高く内部損失が大きい天然木材の欅（けやき）材を用いて、前面側が大きく開口され、且つ、後面側がカップ状（お椀状）に形成されている。また、ハウジング１０１内には、支持片１０２が設けられており、この支持片１０２で前面板１０３を支持して、前面板１０３の外周部位でハウジング１０１内の外周部位を閉蓋している。
【０００７】
また、前面板１０３の中央部位には段付き開口部１０３ａが貫通して開口されており、この開口部１０３ａ内にスピーカユニッ１０４が方音面１０４ａを前方に向け且つ磁気回路部１０４ｂを内側に向けて取り付けられている。また、前面板１０３の前方側の外周部位にイヤーパッド１０５が取り付けられている。
【０００８】
更に、スピーカユニッ１０４から引き出されたワイヤ１０６は、ハウジング１０１の後面中央部位に突出形成した筒状のパイプ１０７内を挿通させてスピーカユニッ１０４への入力用の外部接続コード１０８としてハウジング１０１の外部に引き出されている。
【０００９】
そして、上記の構成によるヘッドホン１００を左右一対対称に形成して、位置調整機構を内蔵した左右一対のハウジング支持部材（図示せず）を介してヘッドバンド（図示せず）に連結することでヘッドホン組立体（図示せず）が構成されている。
【００１０】
この従来のヘッドホン１００では、ハウジング１０１の少なくともスピーカユニット１０４の背面側を天然木材の単板で形成しているために、ハウジング１０１はヤング率が高く内部損失が大きいので、スピーカユニット１０４から伝達される不要振動が抑えられ、且つ、ハウジング１０１内の共鳴を利用することができ、音色が明瞭で中域周波数帯の増強が図られた自然音に極めて近い再生音を聴取可能である旨が記載されている。
【発明の開示】
【発明が解決しようとする課題】
【００１１】
ところで、従来のヘッドホン１００によれば、ハウジング１０１に天然木材を用いているので、上記したような音響特性の再生音が得られるものの、ハウジング１０１の前面側に支持片１０２を介して前面板１０３を取り付け、この前面板１０３の中央部位にスピーカユニット１０４を取り付けているので、ハウジング全体ではハウジング１０１と前面板１０３とによる２部品構成となるために、スピーカユニット１０４の取り付け構造が複雑となっている。
【００１２】
また、ハウジング１０１内に設けた支持片１０２は前面板１０３を支持する機能を備えているものの、この支持片１０２の内側に音響特性調整用の円筒形状部（空気室）を形成しているか否かは何等の開示及び示唆もされてなく、単に前面板１０３を支持する機能だけでは良好な共鳴音を得られる保証はないものと思考する。
【００１３】
そこで、天然木材を用いてヘッドホンハウジングを形成した時に、ヘッドホンハウジング内にスピーカユニットを従来例よりも簡単に取り付けることができ、且つ、ヘッドホンハウジング内でスピーカユニットの背面側に空気室を有する音響特性調整用の円筒形状部を形成することで、従来例よりも良好な再生音が得られ、更に、スピーカユニットの前方に音響レンズ機能を備えることで更に音響特性の良い再生音が得られるヘッドホンが望まれている。
【課題を解決するための手段】
【００１４】
本発明は上記課題に鑑みてなされたものであり、請求項１記載の発明は、天然木材を用いて空気室を有する円筒形状部を内部に一体的に形成したヘッドホンハウジングと、  前記円筒形状部の前面に取り付けられ、且つ、再生音を出力するスピーカユニットとを少なくとも備えたことを特徴とするヘッドホンである。
【００１５】
また、請求項２の発明は、ヘッドホンハウジングと、
前記ヘッドホンハウジング内に取り付けられ、且つ、再生音を出力するスピーカユニットと、
前記スピーカユニットからの前記再生音を放音するために前面に複数の孔を形成した放音板と、
前記放音板より前方で所定の隙間を隔ててこの放音板に対して同心的に設けられ、且つ、前記放音板に形成した前記複数の孔のうちで内周部位のいくつかの孔を臨ませる中心孔を中心部に形成すると共に、この中心孔より外周側に前記放音板の外周部位に形成した残りの孔に対して孔位置がずれるように複数の孔を配置した音響レンズ板とを少なくとも備えたことを特徴とするヘッドホンである。
【発明の効果】
【００１６】
本発明に係るヘッドホンにおいて、請求項１記載によると、天然木材を用いてヘッドホンハウジング内に空気室を有する円筒形状部を形成し、この円筒形状部の前面にスピーカユニットを直接取り付けることにより、スピーカユニッの取り付け構造が従来例よりも簡単になり、更に、円筒形状部に囲まれた空気室内は良好な音響効果が得られるようになっているので、天然木材が持つ自然な音色と、天然木材による減衰特性を生かした音造りが可能になる。
【００１７】
また、請求項２記載によると、とくに、スピーカユニットからの再生音を放音するために前面に複数の孔を形成した放音板と、放音板より前方で所定の隙間を隔ててこの放音板に対して同心的に設けられ、且つ、放音板に形成した複数の孔のうちで内周部位のいくつかの孔を臨ませる中心孔を中心部に形成すると共に、この中心孔より外周側に放音板の外周部位に形成した残りの孔に対して孔位置がずれるように複数の孔を配置した音響レンズ板とで音響レンズ作用を働かせることによって、７ＫＨｚ〜１０ＫＨｚ近辺の中域周波数のピークがならされて分散化されるので、中域周波数帯に対して広がり感のあり且つ自然音に極めて近い再生音が得られる。
【発明を実施するための最良の形態】
【００１８】
以下に本発明に係るヘッドホンの一実施例を図１乃至図８を参照して詳細に説明する。
【実施例】
【００１９】
図１は本発明に係るヘッドホンを左右一対対称に形成し、且つ、左右一対のヘッドホンを左右一対のハンガーを介してヘッドバンドに連結して組み立てたヘッドホン組立体を示した図であり、（ａ）は左側面図，（ｂ）は正面図，（ｃ）は右側面、
図２は本発明に係るヘッドホンを断面して示した断面図、
図３は本発明に係るヘッドホンにおいて、ヘッドホンハウジングを説明するための図であり、（ａ）は斜視図，（ｂ）は断面図，（ｃ）は上面図、
図４は本発明に係るヘッドホンにおいて、リング体を説明するための図であり、（ａ）はＡ−Ａ’断面図，（ｂ）は下面図，（ｃ）はＢ−Ｏ−Ｃ断面図，（ｄ）は上面図、
図５は本発明に係るヘッドホンにおいて、スピーカユニット用の放音板を説明するために拡大して示した拡大図であり、（ａ）は断面図，（ｂ）は上面図、
図６は本発明に係るヘッドホンにおいて、プロテクタを説明するための図であり、（ａ）はＢ−Ｏ−Ｃ断面図，（ｂ）は上面図、
図７は本発明に係るヘッドホンにおいて、放音板とプロテクタの音響レンズ板部とを同心的に重ね合わせた状態を説明するための図であり、（ａ）は平面図，（ｂ）は同一円周上での模式図、
図８は本発明に係るヘッドホンの音響特性を説明するための図である。
【００２０】
図１に示した如く、本発明に係るヘッドホン１０を適用したヘッドホン組立体１は、左右一対対称に形成した左側のヘッドホン１０Ｌ（１０）と右側のヘッドホン１０Ｒ（１０）とを組みとし、且つ、左右一対のヘッドホン１０Ｌ，１０Ｒの各側面にＵ字状に形成した左右一対のハンガー２Ｌ（２），２Ｒ（２）をそれぞれ一対のピン（３，３），（３，３）を介して懸架した後、これら左右一対のハンガー２Ｌ，２Ｒにヘッドバンド４を連結して、使用者の左右の耳に着脱可能に組み立てられている。
【００２１】
ここで、本発明に係るヘッドホン１０は、後述するように天然木材を用いて一体的に形成したヘッドホンハウジング１１の下方部位に入力用の接続コード１７を取り付けて、この接続コード１７をヘッドホンハウジング１１内に取り付けたスピーカユニット１５に接続している。
【００２２】
尚、本発明に係るヘッドホン１０は、左側のヘッドホン１０Ｌと右側のヘッドホン１０Ｒとが左右対称形状である以外は同一構成であるので、以下では、左右の区別を付けずに説明する。
【００２３】
まず、図２に示した如く、本発明に係るヘッドホン１０は、天然木材として楓（ｍａｐｌｅ），桜（ｃｈｅｒｒｙ）などを用いて後面１１ａ側をカップ状（お椀状）に形成され且つ前面１１ｂ側に空気室１１ｃを有する音響特性調整用の円筒形状部１１ｄを突出形成したヘッドホンハウジング１１と、ヘッドホンハウジング１１の前面１１ｂに取り付けられてこの外周部位にＵ字状に形成したハンガー２を一対のピン３，（３）を介して取り付けるためのリング体１３と、ヘッドホンハウジング１１の前面１１ｂ側に形成した円筒形状部１１ｄの前面に直接取り付けられるスピーカユニット１５と、リング体１３に取り付けられ且つ裏面中心部にスピーカユニット用の放音板１９を嵌め込んでこの放音板１９から所定の隙間Ｓを隔てて放音板１９に対して同心的に形成された音響レンズ板部２０ｄを前面中心部に設けたプロテクタ２０と、プロテクタ２０の前面外周部位に取り付けられるイヤーパッド２２とで概略構成されている。
【００２４】
ここで、この実施例の要部の一部となるヘッドホンハウジング１１は、図２及び図３（ａ）〜（ｃ）に示した如く、天然木材として楓（ｍａｐｌｅ），桜（ｃｈｅｒｒｙ）などを用いて後面１１ａ側がカップ状（お椀状）に形成され、且つ、前面１１ｂ側の中心部位に空気室１１ｃを有する音響特性調整用の円筒形状部１１ｄが前面１１ｂよりも前方に向かってリング状に突出形成され、且つ、円筒形状部１１ｄで囲まれた空気室１１ｃ内は有底孔であると共に、この円筒形状部１１ｄの外周側に軽量化を図るために前面１１ｂ側の内部を肉抜きした肉抜き部１１ｅが凹状に形成されている。
【００２５】
この際、ヘッドホンハウジング１１の後面１１ａ側は木目を露出させて外観上高級感を持たせていると共に、前面１１ｂ側の最大外径が略１００ｍｍ程度に設定されている。
【００２６】
また、ヘッドホンハウジング１１の前面１１ｂに後述するリング体１３を取り付けるための取り付け孔１１ｂ１が同一円周上で略９０°離れて等間隔に合計４か所穿設されていると共に、前面１１ｂよりも突出した円筒形状部１１ｄの前面にも後述するスピーカユニット１５を取り付けるための取り付け孔１１ｄ１が同一円周上で略９０°離れて略等間隔に合計４か所穿設されている。
【００２７】
更に、ヘッドホンハウジング１１の円筒形状部１１ｄの外周面に沿って横孔１１ｄ２が略９０°離れて等間隔に合計４か所貫通して穿設されており、これら合計４か所の横孔１１ｄ２のうちで３か所の横孔１１ｄ２は後述するスピーカユニット１５によって振動された空気室１１ｃ内の空気を逃がすためのダクト機能を備えたものであり、３か所の横孔（ダクト）１１ｄ１の内側には不燃布１２が貼り付けられていると共に、残りの１か所の横孔１１ｄ１は後述するスピーカユニット１５からのワイヤ１６を接続コード１７側に挿通させるためのものである。
【００２８】
次に、ヘッドホンハウジング１１の前面１１ｂに形成した合計４か所の取り付け孔１１ｂ１には、ＡＢＳなどの樹脂材を用いてリング状に形成したリング体１３が木ネジ１４を介して取り付けられている。
【００２９】
このリング体１３は、図２及び図４（ａ）〜（ｄ）に示したように、中心部に内周側リング状壁部１３ａがリング状に形成されており、この内周側リング状壁部１３ａの内側にヘッドホンハウジング１１の円筒形状部１１ｄの外周部位に嵌め込まれる中心孔１３ａ１が貫通して形成されていると共に、内周側リング状壁部１３ａの外周面に沿って横孔１３ａ２がヘッドホンハウジング１１の円筒形状部１１ｄの外周面に沿って穿設した合計４か所の横孔１１ｄ２と対応して合計４か所穿設されている。
【００３０】
また、リング体１３は、内周側リング状壁部１３ａと外周側リング状壁部１３ｂとの間に、前方側を肉抜きして取り付け部１３ｃが平坦に形成されており、この取り付け部１３ｃに取り付け孔１３ｃ１がヘッドホンハウジング１１の前面１１ｂ側に形成した合計４か所の取り付け孔１１ｂ１と対応して合計４か所穿設されている。
【００３１】
また、リング体１３の取り付け部１３ｃ上には、後述するプロテクタ２０を支持するために孔付きボス部１３ｄがリング体１３の高さ寸法まで前方に突出して同一円周上で略９０°離れて等間隔に合計４か所形成されており、これらの合計４か所の孔付きボス部１３ｄは合計４か所の取り付け孔１３ｃ１よりも内周側に設けられている。
【００３２】
また、リング体１３の外周側リング状壁部１３ｂには、内周側リング状壁部１３ａの周面に沿って穿設した４か所の横孔１３ａ２と対応して４か所の横穴１３ｂ１が穿設されており、この４か所の横穴１３ｂ１のうちの１か所に前記した接続コード１７が取り付けられるようになっている。
【００３３】
また、リング体１３の外周側リング状壁部１３ｂの外周には、ハンガー２を懸架するための一対のピン３，（３）が略１８０°離れて取り付けられている。
【００３４】
そして、リング体１３の中心孔１３ａ１内にヘッドホンハウジング１１の円筒形状部１１ｄの外周部位を嵌め込んで、リング体１３の取り付け部１３ｃの裏面側をヘッドホンハウジング１１の前面１１ｂ側に木ネジ１４を介して取り付けている。
【００３５】
次に、スピーカユニット１５は、外径が略５０ｍｍ程度であり且つ高音質の再生音を出力できるものが採用されている。このスピーカユニット１５は、ヘッドホンハウジング１１の円筒形状部１１ｄの前面に形成した合計４か所の取り付け孔１１ｄ１に木ネジ１８を介して取り付けられている。この際、スピーカユニット１５は、前方側の振動板１５ａが方音可能に露出しており、後方の磁気回路部１５ｂ側が円筒形状部１１ｄ内に嵌め込まれている。
【００３６】
ここでは、スピーカユニッ１５をヘッドホンハウジング１１内に形成した円筒形状部１１ｄの前面に直接取り付けることにより、スピーカユニッ１５の取り付け構造が先に図９を用いて説明した従来例よりも簡単になり、更に、円筒形状部１１ｄに囲まれた空気室１１ｃ内は良好な音響効果が得られるようになっているので、図８中で実線で示したように後述する音響レンズ作用が無い場合の音響特性となり、この場合に天然木材が持つ自然な音色と、天然木材による減衰特性を生かした音造りが可能になっている。
【００３７】
尚、ヘッドホンハウジング１１の前面１１ｂ側に形成した円筒形状部１１ｄの作製方法は、天然木材から切削により一体加工する方法と、ヘッドホンハウジング１１の内部を後面１１ａに沿ってカップ状に肉抜きしておき、この内部に同材質の円筒形状部１１ｄを接着材により一体的に固着させる方法とがあり、いずれの方法を用いても良いものである。
【００３８】
次に、スピーカユニッ１５の前方には、スピーカユニッ１５から出力された再生音を外部前方に放音するための放音板１９を裏面中心部位に嵌め込んだ状態で前面中心部に音響レンズ板部２０ｄを放音板１９に対して同心的に形成したプロテクタ２０がリング体１３の前面側に突出形成した合計４か所の孔付きボス部１３ｄにタッピングネジ２１を介して取り付けられている。
【００３９】
まず、上記した放音板１９は、図５（ａ），（ｂ）に拡大して示したように、ＡＢＳなどの樹脂材を用いて前面１９ａ側が円形円弧状に前方に向かって僅かに突出形成され、外周部１９ｂが前面１９ａ側より一段下がって段付きに形成されている。
【００４０】
そして、放音板１９の前面１９ａには、スピーカユニッ１５から出力された再生音を外部前方に放音するために複数の丸孔１９ａ１，１９ａ２がそれぞれ貫通して穿設されている。ここでは、放音板１９の内周から外周に向かって第１〜第４同心円を径順に設定した際、直径φＤ１の第１同心円上に直径φｄ１の丸孔１９ａ１が６個等間隔に穿設され、また、直径φＤ２の第２同心円上に直径φｄ１の丸孔１９ａ１が１２個等間隔に穿設され、また、直径φＤ３の第３同心円上に直径φｄ１の丸孔１９ａ１が１８個等間隔に穿設され、また、直径φＤ４の第４同心円上に直径φｄ１より一回り大きい直径φｄ２の丸孔１９ａ２が１８個等間隔に穿設されている。更に、放音板１９は、直径φＤ３の第３同心円上に穿設した１８個の丸孔１９ａ１と、直径φＤ４の第４同心円上に穿設した１８個の丸孔１９ａ２とが、中心から外周に向って等しい角度で設定された複数の放射線上に揃えて配置されている。
【００４１】
そして、この実施例では、放音板１９が後述するようにプロテクタ２０の裏面中心部に形成された段付き孔２０ｂ内に嵌め込まれているが、これに限らず、スピーカユニット１５の前面に放音板１９を一体的に取り付けても良い。
【００４２】
尚、図５（ａ），（ｂ）に示した放音板１９は、下記の図６（ａ）に示したプロテクタ２０の裏面中心部に形成された段付き孔２０ｂの内径寸法に対して拡大して図示している。
【００４３】
次に、上記したプロテクタ２０は、図２及び図６（ａ），（ｂ）に示したように、ＡＢＳなどの樹脂材を用いて薄肉な円筒状に形成されている。
【００４４】
そして、プロテクタ２０の後面２０ａ側の中心部には、後面２０ａより内側に段付き孔２０ｂが形成されており、この段付き孔２０ｂ内に前記した放音板１９が後述するように位置決めして嵌め込まれている。
【００４５】
また、プロテクタ２０の前面２０ｃ側の中心部には、この実施例の要部の一部となる音響レンズ板部２０ｄが円形円弧状に前方に向かって僅かに突出形成されていると共に、この音響レンズ板部２０ｄは後面２０ａ側から段付き孔２０ｂ内に位置決めして嵌め込んだ放音板１９に対して同心的に設けられ、且つ、放音板１９に対して所定の隙間Ｓを隔てて放音板１９に対向するように形成されている。この際、放音板１９と音響レンズ板部２０ｄとの間に設定された所定の隙間Ｓは、２〜３ｍｍ程度であり、この実施例では所定の隙間Ｓが２ｍｍに設定されている。
【００４６】
この際、プロテクタ２０の前面２０ｃ側に突出形成した音響レンズ板部２０ｄは、放音板１９の第３同心円の直径φＤ３と同径である同心円上に直径φｄ１の丸孔２０ｄ１が放音板１９に対して同数で１８個等間隔に穿設され、また、放音板１９の第４同心円の直径φＤ４と同径である同心円上に直径φｄ１より一回り大きい直径φｄ２の丸孔２０ｄ２が放音板１９に対して同数で１８個等間隔に穿設されていると共に、中心部に中心孔２０ｄ３が放音板１９の第２同心円の直径φＤ２よりも大きな直径で貫通して穿設されており、この中心孔２０ｄ３内に放音板１９に形成した内周側の各孔１９ａ１が臨めるようになっている。
【００４７】
更に、プロテクタ２０の音響レンズ板部２０ｄは、放音板１９と同様に、直径φＤ３の同心円上に穿設した１８個の丸孔２０ｄ１と、直径φＤ４の同心円上に穿設した１８個の丸孔２０ｄ２とが、中心から外周に向って等しい角度で設定された複数の放射線上に揃えて配置されている。
【００４８】
また、プロテクタ２０の前面２０ｃ側で音響レンズ板部２０ｄより外周側には、取り付け用有底丸孔２０ｅが同一円周上で略９０°離れて合計４か所形成されており、これらの合計４か所の取り付け用有底丸孔２０ｅはリング体１３に形成した合計４か所の孔付きボス部１３ｄと対応している。
【００４９】
また、プロテクタ２０の後面２０ａ側には、内周側リング状壁部２０ｆが形成され、この内周側リング状壁部２０ｆはヘッドホンハウジング１１の円筒形状部の前方外周部に嵌合可能に形成されていると共に、内周側リング状壁部２０ｆより外側に外周側リング状壁部２０ｇが形成されている。
【００５０】
また、プロテクタ２０の前面２０ｃの外周部位は、イヤーパッド２０を取り付けるための機能を備えており、この前面２０ｃの下方側はテーパ面２０ｃ１に形成されており、これによりイヤーパッド２０も下方側はテーパ面となるので耳に密着して装着可能になっている。
【００５１】
ここで、プロテクタ２０の音響レンズ板部２０ｄに対して、放音板１９をプロテクタ２０の後面２０ａ側から段付き孔２０ｂ内に位置決めして嵌め込んだ状態について、図７及び図８を用いて説明する。
【００５２】
まず、図７（ａ），（ｂ）に示した如く、プロテクタ２０の後面中心部位に放音板１９０を嵌め込んだ場合に、プロテクタ２０の前面２０ｃに形成した音響レンズ板部２０ｄの中心孔２０ｄ３は前述したように放音板１９の第２同心円の直径φＤ２よりも大きな直径で貫通して穿設されているので、放音板１９の前面１９ａ側で直径φＤ１，φＤ２の第１，第２同心円上に穿設した直径φｄ１の各丸孔１９ａ１が中心孔２０ｄ３内に臨んでいる。
【００５３】
また、放音板１９の前面１９ａ側で直径φＤ３の第３同心円上に１８個穿設した直径φｄ１の丸孔１９ａ１と、プロテクタ２０の前面２０ｃ側に形成した音響レンズ板部２０ｄで直径φＤ３の同心円上に１８個穿設した直径φｄ１の丸孔２０ｄ１は同一径の同心円上にあるので、直径φＤ３の同心円上では放音板１９側と音響レンズ板部２０ｄ側との間で孔の位置をずらして音響レンズ板部２０ｄ側の隣り合う丸孔２０ｄ１の間に放音板１９側の丸孔１９ａ１が配置するように放音板１９をプロテクタ２０の後面２０ａ側から段付き孔２０ｂ内に位置決めして嵌め込んでいる。
【００５４】
上記と同様に、放音板１９の前面１９ａ側で直径φＤ４の第４同心円上に１８個穿設した直径φｄ２の丸孔１９ａ２と、プロテクタ２０の前面２０ｃ側に形成した音響レンズ板部２０ｄで直径φＤ４の同心円上に１８個穿設した直径φｄ２の丸孔２０ｄ２も同一径の同心円上にあるので、直径φＤ４の同心円上では放音板１９側と音響レンズ板部２０ｄ側との間で孔の位置をずらして音響レンズ板部２０ｄ側の隣り合う丸孔２０ｄ２の間に放音板１９側の丸孔１９ａ２が配置している。
【００５５】
そして、プロテクタ２０の後面２０ａ側から放音板２０を段付き孔２０ｂ内に位置決めして嵌め込んだ状態で、プロテクタ２０を合計４か所の取り付け用有底丸孔２０ｅ内からタッピングネジ２１を介してリング体１３に形成した合計４か所の孔付きボス部１３ｄに取り付け、この後、プロテクタ２０の前面２０ｃの外周部位に沿ってイヤーパッド２２を取り付けて、このイヤーパッド２２の後端部側をプロテクタ２０の後面２０ａ側に着脱自在に覆いかぶせている。
【００５６】
そして、スピーカユニッ１５から出力された再生音のうちで放音板１９の内周領域に穿設した直径φＤ１，φＤ２の第１，第２同心円上の各丸孔１９ａ１を通過した再生音は、プロテクタ２０の音響レンズ板部２０ｄに穿設した中心孔２０ｄ３からそのまま出力されている。
【００５７】
一方、図７（ｂ）に示した如く、スピーカユニッ１５から出力された再生音のうちで放音板１９に穿設した直径φＤ３の同心円上の各丸孔１９ａ１と直径φＤ４の同心円上の各丸孔１９ａ２とを通過した再生音は、放音板１９とプロテクタ２０の音響レンズ板部２０ｄとの間に設定された所定の隙間Ｓ内に入って、プロテクタ２０の音響レンズ板部２０ｄ中で孔が開いていない壁に当たり、この壁で左右に拡散されて所定の隙間Ｓ内で屈折作用が働き、この後、プロテクタ２０の音響レンズ板部２０ｄに穿設した直径φＤ３の同心円上の各丸孔２０ｄ１と直径φＤ４の同心円上の各丸孔２０ｄ２とから外部に出力されるので、いわゆる、光に対する光学レンズの屈折作用と略同様に、音響レンズ作用が働くことになる。
【００５８】
この結果、上記した音響レンズ作用が有る場合には、図８中で点線で示したような音響特性となり、この場合に７ＫＨｚ〜１０ＫＨｚ近辺の中域周波数のピークがならされて分散化されるので、中域周波数帯に対して広がり感のあり且つ自然音に極めて近い再生音が得られる。
【００５９】
尚、この実施例では、放音板１９をプロテクタ２０の後面中心部に嵌め込んでいるので放音板１９の音響レンズ板部２０ｄへの位置出しが容易であるものの、放音板１９をスピーカユニット１５の前面に一体的に取り付けた場合には、放音板１９は所定の隙間Ｓを隔ててプロテクタ２０の音響レンズ板部２０ｄから離れているため、プロテクタ２０の前面２０ｃ側に円弧状の取り付け孔を位置調整可能に形成すれば、プロテクタ２０を円周方向に回転させながら放音板１９に対して位置調整した後に円弧状の取り付け孔を介してプロテクタ２０をリング体１３に取り付ければ良いものである。
【００６０】
更に、ヘッドホンハウジング内に取り付けたスピーカユニットからの再生音を放音する放音板の前方で所定の距離を隔てて音響レンズ板を設ける技術的思想は、ヘッドホンハウジング内にスピーカユニットを取り付けた構造形態のヘッドホン全てに適用可能である。
【図面の簡単な説明】
【００６１】
【図１】本発明に係るヘッドホンを左右一対対称に形成し、且つ、左右一対のヘッドホンを左右一対のハンガーを介してヘッドバンドに連結して組み立てたヘッドホン組立体を示した図であり、（ａ）は左側面図，（ｂ）は正面図，（ｃ）は右側面である。
【図２】本発明に係るヘッドホンを断面して示した断面図である。
【図３】本発明に係るヘッドホンにおいて、ヘッドホンハウジングを説明するための図であり、（ａ）は斜視図，（ｂ）は断面図，（ｃ）は上面図である。
【図４】本発明に係るヘッドホンにおいて、リング体を説明するための図であり、（ａ）はＡ−Ａ’断面図，（ｂ）は下面図，（ｃ）はＢ−Ｏ−Ｃ断面図，（ｄ）は上面図である。
【図５】本発明に係るヘッドホンにおいて、スピーカユニット用の放音板を説明するために拡大して示した拡大図であり、（ａ）は断面図，（ｂ）は上面図である。
【図６】本発明に係るヘッドホンにおいて、プロテクタを説明するための図であり、（ａ）はＢ−Ｏ−Ｃ断面図，（ｂ）は上面図である。
【図７】本発明に係るヘッドホンにおいて、放音板とプロテクタの音響レンズ板部とを同心的に重ね合わせた状態を説明するための図であり、（ａ）は平面図，（ｂ）は同一円周上での模式図である。
【図８】本発明に係るヘッドホンの音響特性を説明するための図である。
【図９】従来例のヘッドホンを示した断面図である。
【符号の説明】
【００６２】
１…ヘッドホン組立体、
２（２Ｌ，２Ｒ）…ハンガー、３…ピン、４…ヘッドバンド、
１０（１０Ｌ，１０Ｒ）…ヘッドホン、
１１…ヘッドホンハウジング、１１ａ…後面、１１ｂ…前面、
１１ｃ…空気室、１１ｄ…円筒形状部、１１ｅ…肉抜き部、
１３…リング体、
１５…スピーカユニット、１６…ワイヤ、１７…接続コード、
１９…放音板、１９ａ…前面、１９ａ１，１９ａ２…丸孔、
２０…プロテクタ、２０ａ…後面、２０ｂ…段付き孔、２０ｃ…前面、
２０ｄ…音響レンズ板部、２０ｄ１，２０ｄ２……丸孔、２０ｄ３…中心孔、
２２…イヤーパッド。
【図１】
2006086960.tif 000003
【図２】
2006086960.tif 000004
【図３】
2006086960.tif 000005
【図４】
2006086960.tif 000006
【図５】
2006086960.tif 000007
【図６】
2006086960.tif 000008
【図７】
2006086960.tif 000009
【図８】
2006086960.tif 000010
【図９】
2006086960.tif 000011